(57)【要約】      （修正有）【課題】手すり桿が前脚桿と後脚桿の間の位置に配置することで、座った人は腕を楽に置くことができ、且つ畳んだ時に場所をとらない束畳み式レジャー椅子を提供する。【解決手段】束畳み式レジャー椅子の構造は、主に一対の側面脚フレーム構造１０と、前支持脚構造２０と、後支持脚構造３０と、一対のシート支持桿４０と、一対の手すり桿５０とを有して構成され、この一対の手すり桿５０は、連接リングと連接ケース５１を用いて、それぞれの装置を伸縮桿１３２と後脚桿１４に連接し、手すり桿５０が前脚桿１３と後脚桿１４の間の位置に配置される。【選択図】図７
0003156595.tif 000002
【実用新案登録請求の範囲】
【請求項１】
主に、一対の側面脚フレーム構造、前支持脚構造、後支持脚構造、一対のシート支持桿と一対の手すり桿とを具備して構成された束畳み式レジャー椅子の構造において、
前記一対の側面脚フレーム構造は、第一側面支持脚と、第二側面支持脚と、前脚桿と、後脚桿とを含み、前記第一側面支持脚と前記第二側面支持脚は、中間で相互にＸ字形で枢接して前記前脚桿と前記後脚桿の間に設置し、前記前脚桿は底桿、伸縮桿を含み、前記底桿は中空状で、前記底端は前記前脚桿の底台に設置し、桿体は第１の可動ケースと固定された第１の装置ケースを設置し、前記伸縮桿は前記底桿内部に設置して上向きに伸びたり下向きに縮んで移動したりするもので、前記後脚桿の上端は円弧状に湾曲し、その底端は後脚桿の底台に設置し、桿体は第２の可動ケースと固定された第２の装置ケースを設置し、前記第２の可動ケースは前記第２の装置ケースの上方に位置し、
前記前支持脚構造は、第一前支持脚と第二前支持脚が中間で相互にＸ字形で枢接して二本の前記前脚桿の間に設置して構成され、
前記後支持脚構造は、第一後支持脚、第二後支持脚、第三後支持脚及び第四後支持脚から構成され、一Ｕ字形状と逆Ｕ字形状が交錯した構造外観で、二本の前記後脚桿の間に設置して構成され、
前記シート支持桿は、シート布を被せて支持するものであり、
前記伸縮桿の上端は円弧状に湾曲し、かつ連接塊を設置し、前記一対の手すり桿の後端に連接ケースを設置し、前記連接ケースは前記後脚桿の桿体に嵌合し、前記前端桿の桿体下方に連接リングを設置し、前記連接リングは前記前脚桿の伸縮桿の上端の前記連接塊と相互に合わさり、前記シート支持桿の前端、後端は、それぞれ異なる湾曲度の円弧状で、円弧状湾曲箇所に近い前端の桿体には活動槽を穿設することを特徴とする束畳み式レジャー椅子の構造。
【請求項２】
前記第１の装置ケースは、前記第１の可動ケースの上方に位置し、前記連接ケースは、前記第２の可動ケースの上方に位置することを特徴とする請求項１に記載の束畳み式レジャー椅子の構造。
【請求項３】
前記シート支持桿後端は、前記側面脚フレーム構造の前記第２の装置ケースに連接し、前端は活動槽によって前記側面脚フレーム構造の前記第１の装置ケースに連接し、前記第１の装置ケース上にはＵ字形半管状のＵ字型槽を設置し、前記Ｕ字型槽の円直径は前記シート支持桿の桿体と相互に嵌合可能な寸法に構成したことを特徴とする請求項１又は請求項２に記載の束畳み式レジャー椅子の構造。
【請求項４】
前記シート支持桿は、固定栓を前記Ｕ字型槽と前記シート支持桿の前記活動槽に差し込んで、前記第１の装置ケース上に設置することを特徴とする請求項３に記載の束畳み式レジャー椅子の構造。
【請求項５】
前記シート布は、被せるのにシート支持桿を使用せず、前記シート布の四端に直接カバーリングを設置し、四端をカバーリングでそれぞれ二本の前記前脚桿、二本の前記後脚桿の桿体に被せ、前記第１の装置ケースおよび前記第２の可動ケース上に嵌合して固定することを特徴とする請求項１に記載の束畳み式レジャー椅子の構造。
【考案の詳細な説明】
【技術分野】
【０００１】
本考案は、束畳み式レジャー椅子の構造に関し、特に前脚桿の伸縮桿の上端が円弧状に湾曲して連接塊を設置し、手すり桿の前端桿体の下方には連接リングを設置し、後端には連接ケースを設置し、前記連接ケースは後脚桿の桿体に嵌合し、前記連接リングは前脚桿の伸縮桿上端の連接塊と相互に係合される束畳み式レジャー椅子の構造に関する。
【背景技術】
【０００２】
近年、束畳み式レジャー椅子が普及している。この束畳み式レジャー椅子は、軽量で、かつ簡単に折りたためることができるので、持ち運びに便利であり、使用時も簡単に広げて使用できるので、使い勝手もよい。
【０００３】
このような従来の束畳み式レジャー椅子としては、例えば、特許文献１および特許文献２に記載の束畳み式レジャー椅子がある。  
前記特許文献１および特許文献２に記載の束畳み式レジャー椅子の構成を図１から図４に示す。
【０００４】
図１から図３は特許文献１に記載の束畳み式レジャー椅子を示し、図１は、該束畳み式レジャー椅子の構造を示す斜視図、図２は、図１の束畳み式レジャー椅子の手すり桿を畳む状態を示す斜視図、図３は、該束畳み式レジャー椅子の全体構成を示す斜視図である。
【０００５】
図１から図３に示すように、特許文献１に記載の束畳み式レジャー椅子の構造は、四面構造を有し、この四面構造はすべて二本の同じ長さの交差板７０がＸ字形に交差して閉じる構造である。
【０００６】
また、束畳み式レジャー椅子構造は、手すり桿構造７１を有し、この手すり桿構造７１は、オス継ぎ手７１１、メス継ぎ手７１２、手すり桿７１３から構成されて中間で折り曲げて閉じる構造である。そして、束畳みレジャー椅子にシート布７２を設けて各構造を広げることにより、図３に示すような状態で使用できる。
【０００７】
また、図４は、本件出願人が公知構造を改善するために提案した、特許文献２に記載の束畳み式レジャー椅子の構造を示す斜視図である。
【０００８】
図４に示すように、特許文献２に記載の束畳み式レジャー椅子の構造は、主に前枢接構造８０と、後枢接構造８１と、側辺枢接構造８２と、手すり桿８３と、シート支持桿８４とを有して構成される。
【０００９】
前記前枢接構造８０は、前脚桿構造８０１と、第一枢接版８０２とを有して構成される。また、前記後枢接構造８１は、後脚桿構造８１１と、第二枢接板８１２とを有して構成され、該第二枢接板８１２のうちの一端は湾曲形状である。
【００１０】
前記側辺枢接構造８２は、二本の第三枢接板８２１が前脚桿構造８０１と後脚桿構造８１１との間で交差設置して構成される。前記手すり桿８３下方には桿体が突出した円柱形状の滑動桿８３１及び下向きに伸びた連接桿８３２が設けられている。
【００１１】
前記該シート支持桿８４の前端は湾曲形状で、前枢接構造８０と後枢接構造８１はそれぞれ異なる長さの第一枢接板８０２と第二枢接板８１２を用いて構成される。
【００１２】
前記前枢接構造８０は、二本の第一枢接板８０２をＸ字形に交差させ、後枢接構造８１は四本を使用して第二枢接板８１２を交差させてＵ字形状と逆Ｕ字形状が交わった構造に形成される。この場合、前枢接構造８０の閉合行程は、後枢接構造８１の閉合行程より大きくなっている。
【先行技術文献】
【特許文献】
【００１３】
【特許文献１】台湾実用新案登録第０９１２０３８３４号公報
【特許文献２】台湾実用新案登録第０９７２１０７４３号公報
【考案の概要】
【考案が解決しようとする課題】
【００１４】
しかしながら、上述した従来の束畳み式レジャー椅子の構造では、側面脚フレーム構造と手すり桿の間の組立構造において、手すり桿の安定感に不足があり、且つ椅子を畳んだ時に場所を占めているといった問題点がある。
【００１５】
そこで、本考案は上述した問題点に鑑みてなされたもので、手すり桿を前脚桿と後脚桿の間の位置に配置することで、座った人が腕を更に楽に置くことができ、且つ畳んだ時に場所をとらない束畳み式レジャー椅子の構造を提供することを目的とする。
【課題を解決するための手段】
【００１６】
上述の課題を解決するために、本考案による束畳み式レジャー椅子の構造は、
主に、一対の側面脚フレーム構造、前支持脚構造、後支持脚構造、一対のシート支持桿と一対の手すり桿とを具備して構成された束畳み式レジャー椅子の構造において、
前記一対の側面脚フレーム構造は、第一側面支持脚と、第二側面支持脚と、前脚桿と、後脚桿とを含み、前記第一側面支持脚と前記第二側面支持脚は、中間で相互にＸ字形で枢接して前記前脚桿と前記後脚桿の間に設置し、前記前脚桿は底桿、伸縮桿を含み、前記底桿は中空状で、前記底端は前記前脚桿の底台に設置し、桿体は第１の可動ケースと固定された第１の装置ケースを設置し、前記伸縮桿は前記底桿内部に設置して上向きに伸びたり下向きに縮んで移動したりするもので、前記後脚桿の上端は円弧状に湾曲し、その底端は後脚桿の底台に設置し、桿体は第２の可動ケースと固定された第２の装置ケースを設置し、前記第２の可動ケースは前記第２の装置ケースの上方に位置し、
前記前支持脚構造は、第一前支持脚と第二前支持脚が中間で相互にＸ字形で枢接して二本の前記前脚桿の間に設置して構成され、
前記後支持脚構造は、第一後支持脚、第二後支持脚、第三後支持脚及び第四後支持脚から構成され、一Ｕ字形状と逆Ｕ字形状が交錯した構造外観で、二本の前記後脚桿の間に設置して構成され、
前記シート支持桿は、シート布を被せて支持するものであり、
前記伸縮桿の上端は円弧状に湾曲し、かつ連接塊を設置し、前記一対の手すり桿の後端に連接ケースを設置し、前記連接ケースは前記後脚桿の桿体に嵌合し、前記前端桿の桿体下方に連接リングを設置し、前記連接リングは前記前脚桿の伸縮桿の上端の前記連接塊と相互に合わさり、前記シート支持桿の前端、後端は、それぞれ異なる湾曲度の円弧状で、円弧状湾曲箇所に近い前端の桿体には活動槽を穿設することを特徴とする。
【考案の効果】
【００１７】
本考案による束畳み式レジャー椅子の構造によれば、手すり桿を前脚桿と後脚桿の間の位置に配置することで、座った人が腕を更に楽に置くことができ、且つ畳んだ時に場所をとらない束畳み式レジャー椅子の構造を提供することができるといった利点がある。
【図面の簡単な説明】
【００１８】
【図１】従来の束畳み式レジャー椅子の構造を示す斜視図。
【図２】図１の束畳み式レジャー椅子の手すり桿を畳む状態を示す斜視図。
【図３】図１の束畳み式レジャー椅子の全体構成を示す斜視図。
【図４】従来の他の束畳み式レジャー椅子の構造を示す斜視図。
【図５】本考案の実施例１に係る束畳み式レジャー椅子の手すり桿の分解図。
【図６】図５の手すり桿の組立状態を示す図。
【図７】実施例１の束畳み式レジャー椅子の構造の全体構成を示す斜視図。
【図８】図７の束畳み式レジャー椅子のシート布を外し開いた状態の斜視図。
【図９】図８の束畳み式レジャー椅子の構造を畳んだ状態の斜視図。
【図１０】図８の手すり桿とシート支持桿の分解斜視図。
【図１１】本考案の実施例２に係る束畳み式レジャー椅子の全体構成を示す斜視図。
【考案を実施するための形態】
【００１９】
以下、図面を参照して本考案の実施例について説明する。  
［実施例１］
図５から図１０は、本考案の束畳み式レジャー椅子の構造の実施例１に係り、図５は、実施例１の束畳み式レジャー椅子の手すり桿の分解図、図６は、図５の手すり桿の組立状態を示す図、図７は、実施例１の束畳み式レジャー椅子の構造の全体構成を示す斜視図、図８は、図７の束畳み式レジャー椅子のシート布を外し開いた状態の斜視図、図９は、図８の束畳み式レジャー椅子の構造を畳んだ状態の斜視図、図１０は、図８の手すり桿とシート支持桿の分解斜視図である。
【００２０】
図５から図１０に示すように、実施例１の束畳み式レジャー椅子の構造は、主に一対の側面脚フレーム構造１０と、前支持脚構造２０と、後支持脚構造３０と、一対のシート支持桿４０と、一対の手すり桿５０とを有して構成される。
【００２１】
前記束畳みレジャー椅子構造において、その特徴は、側面脚フレーム構造１０と手すり桿５０の間の組立構造であり、そのうち、前記側面脚フレーム構造１０は、第一側面支持脚１１と、第二側面支持脚１２と、前脚桿１３と、後脚桿１４とを有して構成される。
【００２２】
前記第一側面支持脚１１と前記第二側面支持脚１２は中間で相互にＸ字形状に枢接し、第一側面支持脚１１上端と第二側面支持脚１２下端は前脚桿１３上で連接している。また、第一側面支持脚１１下端と第二側面支持脚１２上端は後脚桿１４上で連接している。
【００２３】
前記前脚桿１３は、底桿１３１と、伸縮桿１３２とを有して構成される。前記底桿１３１は中空で、底端には前脚桿底台１３３を設置し、前記伸縮桿１３２は底桿１３１内部に設置して、上向きに伸びたり下向きに縮んだりして移動するように構成される。
【００２４】
更に、前記伸縮桿１３２の上端は円弧状に湾曲させて構成し、この上端に連接塊１３２１を設置し、桿体には固定された第１の装置ケース１３４と第１の可動ケース１３５が被せられている。この場合、前記第１の装置ケース１３４は、第１の可動ケース１３５の上方に位置している。
【００２５】
また、前記後脚桿１４の上端は円弧状に湾曲させて構成するとともに、底端に後脚桿底台１４１を設置し、桿体には第２の可動ケース１４２と固定された第２の装置ケース１４３が被せられている。この場合、前記第２の可動ケース１４２は、第２の装置ケース１４３の上方に位置している。
【００２６】
前記第一側面支持脚１１の上端は、前脚桿１３の伸縮桿１３２と第１の可動ケース１３５に連接し、また第一側面支持脚１１の下端は、後脚桿１４と後脚桿底台１４１に連接している。
【００２７】
前記第二側面支持脚１２の上端は、後脚桿１４と第２の可動ケース１４２に連接し、また第二側支桿１２の下端は、前脚桿１３の底桿１３１と前脚桿底台１３３に連接している。
【００２８】
前記前支持脚構造２０は、第一前支持脚２１と、第二前支持脚２２とを有して構成される。そのうち、前記第一前支持脚２１と第二前支持脚２２は中間で相互にＸ字形で枢接し、第一前支持脚２１の上端と第二前支持脚２２の上端をそれぞれ二組の側面脚フレーム構造１０の第１の装置ケース１３４に連接している。また、第一前支持脚２１の下端と第二前支持脚２２の下端は、それぞれ二組の側面脚フレーム構造１０の前脚桿底台１３３に連接している。
【００２９】
前記後支持脚構造３０は、第一後支持脚３１と、第二後支持脚３２と、第三後支持脚３３と、第四後支持脚３４とを有して構成される。そのうち、前記第一後支持脚３１と、第二後支持脚３２と、第三後支持脚３３と、第四後支持脚３４の一端は円弧形状に形成されている。  
そして、前記第一後支持脚３１と前記第二後支持脚３２の円弧形状端は、Ｕ字型形状に相互に接続し、前記第三後支持脚３３と前記第四後支持脚３４の円弧形状端は、逆Ｕ字形状に相互に接続している。
【００３０】
また、前記第一後支持脚３１の中段と前記第三後支持脚３３の中段を連接し、前記第二後支持脚３２の中段と前記第四後支持脚３４の中段を連接し、前記後支持脚構造３０をＵ字形状と逆Ｕ字形状連接の構造外観に形成している。
【００３１】
また、前記第一後支持脚３１と前記第二後支持脚３２の非円弧形状端は、それぞれ二組の側面脚フレーム構造１０の第２の装置ケース１４３と連接し、前記第三後支持脚３３と前記第四後支持脚３４の非円弧形状端は、それぞれ二組の前記側面脚フレーム構造１０の後脚桿底台１４１と連接している。
【００３２】
前記シート支持桿４０は、図７に示すように、シート布４１を被せて支えるのに用いる。このシート支持桿４０の前端、後端は、図８に示すようにそれぞれ異なる湾曲度の円弧状に形成されている。
【００３３】
このシート支持桿４０の前端において、円弧状の湾曲箇所に近い桿体には活動槽４２が穿設されている。また、このシート支持桿４０後端は、側面脚フレーム構造１０の第２の装置ケース１４３に連接し、前端は活動槽４２と側面脚フレーム構造１０の第１の装置ケース１３４に連接することにより、前記第１の装置ケース１３４上にＵ字形半管状のＵ字型槽１３４１を設置している。
【００３４】
この場合、Ｕ字型槽１３４１の円直径は、シート支持桿４０の桿体と相互に嵌合可能な寸法に構成されている。このＵ字型槽１３４１に前記シート支持桿４０を嵌合し、次に、固定栓６０をＵ字型槽１３４１とシート支持桿４０の活動槽４２に差し込み，シート支持桿４０を第１の装置ケース１３４上に設置してシート支持桿４０の前端を前脚桿１３の前方へと一定距離伸ばして設置する。
【００３５】
図５および図６に示すように、前記手すり桿５０の後端には連接ケース５１が設置されている。そしてこの連接ケース５１は、後脚桿１４桿体に被せ、第２の可動ケース１４２の上方に位置するように配置する。前記手すり桿５０の前端の桿体下方には連接リング５２が設置され、この連接リング５２は前脚桿１３の伸縮桿１３２上端の連接塊１３２１と相互に係合される。
【００３６】
図８に示すように、束畳み式レジャー椅子の構造全体を広げる時、第１の可動ケース１３５の下端を底桿１３１上端に近づけるとともに、第１の装置ケース１３４の下端を第１の可動ケース１３５の上端に近づけることにより、束畳み式レジャー椅子の構造全体を更に安定させ、前、後面は大きく、左、右面は小さい長方形に形成されることになる。
【００３７】
一方、図９に示すとおり、全体を閉じる時、二本の前脚桿１３と二本の後脚桿１４を寄せ合うと、側面脚フレーム構造１０および前支持脚構造２０と後支持脚構造３０とが内側に寄り始め、更に第１の装置ケース１３４が上に上がることになる。そして、伸縮桿１３２もまた連動して上に上がり、第１の装置ケース１３４の位置が上がったことで中空状態になるのを防止し、手すり桿５０は伸縮桿１３２が上に上がったことで、連接ケース５１を支点として上向きに回転し、第１の装置ケース１３４は引き上げと同時にシート支持桿４０を動かす。      
第１の装置ケース１３４が引き上げられると、Ｕ字型槽１３４１上に設置された固定栓６０は、シート支持桿４０上の活動槽４２内で後ろ向きに移動し、シート支持桿４０を動かして第２の装置ケース１４３を支点として上向きに回転し，最後に固定栓６０で活動槽４２に近い後、端辺縁をスムーズに閉じる。
【００３８】
全体を開く時、二本の前脚桿１３と二本の後脚桿１４を外向きに分けると、側面脚フレーム構造１０および前支持脚構造２０と後支持脚構造３０とが外向きに開き、更に第１の装置ケース１３４を下へ引っ張り、Ｕ字型槽１３４１上に設置した固定栓６０は、第１の装置ケース１３４上に設置した活動槽４２内で前向きに移動する。
【００３９】
すると、シート支持桿４０が第２の装置ケース１４３を支点として下向きに回転し、最後に固定栓６０が活動槽４２の前端辺縁に近づけ、前記伸縮桿１３２が第１の装置ケース１３４を下に引っ張る。これに伴い、手すり桿５０は、伸縮桿１３２が下へ引っ張られることで連接ケース５１を支点として下向きに回転し、スムーズに椅子が開くことになる。
【００４０】
以上説明したように、実施例１の束畳み式レジャー椅子の構造は、手すり桿５０を有し、この手すり桿５０は、連接リング５２と連接ケース５１を用いて、それぞれの装置を伸縮桿１３２と後脚桿１４に連接し、手すり桿５０が前脚桿１３と後脚桿１４の間の位置にあるので、座った人が腕を更に楽に置くことができる。
【００４１】
また、前記手すり桿５０は、前脚桿１３と後脚桿１４の間に位置した構成であるので、座った人が腕を置く時、単一方向への力であるが、従来の特許文献２に記載の手すり桿が前脚桿構造と後脚桿構造の外に配置されたものと比較した場合、座った人が腕を手すり桿に置いた時、下への重量圧だけでなく、同時に外方向への力が働くので、手すり桿５０が更に強固になる。
【００４２】
さらに、実施例１の束畳み式レジャー椅子を畳んだ時、手すり桿５０は直立で前脚桿と後脚桿の間に位置するように配置されるため、外側に突出せずに空間を節約し、更に便利に収納できるといった効果もある。
【００４３】
従って、実施例１によれば、手すり桿５０が前脚桿１３と後脚桿１４の間の位置に配置することで、座った人は腕を更に楽に置くことができ、且つ畳んだ時に場所をとらない束畳み式レジャー椅子の構造の実現が可能となる。
【００４４】
［実施例２］
図１１は、本考案の実施例２に係る束畳み式レジャー椅子の全体構成を示す斜視図である。なお、図１１は、実施例１の束畳み式レジャー椅子の構造と同様な構成要素については同一の符号を付して説明を省略し、異なる部分のみを説明する。
【００４５】
実施例２の束畳み式レジャー椅子の構造は、図１１に示すように、手すり桿５０を有し、この手すり桿５０は、シート支持桿４０を用いずに構成している。
【００４６】
すなわち、前記束畳み式レジャー椅子は、シート布４１を被せるのにシート支持桿４０を用いずに、直接シート布４１の四端にそれぞれカバーリング４１１を設置するように構成される。
【００４７】
そして、四端のカバーリング４１１が、それぞれ二本の前脚桿１３、二本の後脚桿１４の桿体に被せることで、第１の装置ケース１３４、第２の可動ケース１４２に嵌めて固定し、装置を固定する。
【００４８】
従って、実施例２によれば、シート支持桿４０を用いずにシート布４１を設置しているので、使用時において、前記実施例１よりも二本の前脚桿１３に設置したシート布４１に加わる力は大きくなるが、後脚桿１４にも設置されているので、十分な耐性を有し、安心して使用することができる。また、シート支持桿４０を用いないことで、部品点数の軽減により、コストを安価にできる。その他の効果は前記実施例１と同様である。
【００４９】
本考案は、以上述べた実施例に限定されるものではなく、考案の要旨を逸脱しない範囲で種々変形実施可能である。
【符号の説明】
【００５０】
１０…側面脚フレーム構造、
１１…第一側面支持脚、
１２…第二側面支持脚、
１３…前脚桿、
１３１…底桿、
１３２…伸縮桿、
１３２１…連接塊、
１３３…前脚桿底台、
１３４…第１の装置ケース
１３４１Ｕ字型槽、
１３５…第１の可動ケース
１４…後脚桿、
１４１…後脚桿底台、
１４２…第２の可動ケース、
１４３…第２の装置ケース、
２０…前支持脚構造、
２１…第一前支持脚、
２２…第二前支持脚、
３０…後支持脚構造、
３１…第一後支持脚、
３２…第二後支持脚、
３３…第三後支持脚、
３４…第四後支持脚、
４０…シート支持桿、
４１…シート布、
４１１…カバーリング、
４２…活動槽、
５０…手すり桿、
５１…連接ケース、
５２…連接リング、
６０…固定栓、
７０…交差板、
７１…手すり桿構造、
７１１…オス継ぎ手、
７１２…メス継ぎ手、
７１３…手すり桿、
７２…シート、
８０…前枢接構造、
８０１…前脚桿構造、
８０２…第一枢接版、
８１…後枢接構造、
８１１…後脚桿構造、
８１２…第二枢接板、
８２…側辺枢接構造、
８２１…第三枢接板、
８３…手すり桿、
８３１…滑動桿、
８３２…連接桿、
８４…シート支持桿。
【図１】
0003156595.tif 000003
【図２】
0003156595.tif 000004
【図３】
0003156595.tif 000005
【図４】
0003156595.tif 000006
【図５】
0003156595.tif 000007
【図６】
0003156595.tif 000008
【図７】
0003156595.tif 000009
【図８】
0003156595.tif 000010
【図９】
0003156595.tif 000011
【図１０】
0003156595.tif 000012
【図１１】
0003156595.tif 000013